(57)【特許請求の範囲】
【請求項１】
取付基板と、前記取付基板の中央部の上部位置に前面側へ突出させて設けたガイド部材と、前記ガイド部材の左右の側部に設けた球導入口と、前記球導入口の下方にそれぞれ配設された回転体と、前記両回転体の間に位置した前記取付基板の下部位置前面側へ突出させて設け且つ上面が開口した球受枠とを備え、
前記球導入口は、前記ガイド部材から打球が通過できる間隔を離して突設されたガイド枠により形成されると共に該ガイド枠の下方部は前記回転体の外側周面の一部を囲うように円弧状に形成されており、
前記回転体はモータにより互いに反対方向に正逆回転し、かつその周面に前記球導入口から導かれた打球を取り込んで前記球受枠または取付基板の前面外部に落下させる凹部からなる球保持部が設けられていることを特徴とするパチンコ機の入賞装置。
【請求項２】
遊技盤の前面に図柄が変動する表示部を有する可変表示器と、前記可変表示器の変動する図柄が所定時間後に停止しその停止した図柄が所定の表示態様である場合に多くの打球を連続して入賞させる入賞装置とを備えたパチンコ機であって、
前記入賞装置は取付基板と、前記取付基板の中央部の上部位置に前面側へ突出させて設けたガイド部材と、前記ガイド部材の左右の側部に設けた球導入口と、前記球導入口の下方にそれぞれ配設された回転体と、前記両回転体の間に位置した前記取付基板の下部位置に前面側に突出させて設け且つ上面が開口した球受枠とを備え、
前記球導入口は、前記ガイド部材から打球が通過できる間隔を離して突設されたガイド枠により形成されると共に該ガイド枠の下方部は前記回転体の外側周面の一部を囲うように円弧状に形成されており、
前記回転体はモータにより互いに反対方向に正逆回転し、かつその周面に前記球導入口から導かれた打球を取り込む凹部からなる球保持部が設けられ、
前記回転体を外向き回転させて前記球保持部に取り込んだ打球を前記取付基板の前面外部に落下させる状態から前記可変表示器の所定の表示態様により前記回転体を内向き回転させて前記球保持部に取り込んだ打球を前記球受枠に導く状態とに変換するようにしたことを特徴とするパチンコ機。
【発明の詳細な説明】
【０００１】
【発明の属する技術分野】
本発明は、パチンコ機の入賞装置に関するものである。
【０００２】
【従来の技術】
従来、パチンコ機の入賞装置としては、例えば取付基板に横長の開口を開設し、該開口にソレノイドの駆動によって前後方向へ開閉する開閉扉を設け、該開閉扉を前面側へ開いて打球を受け入れ可能とし、閉じることによって打球の受け入れを不可能にするようにしたもの、或いは取付基板の前面に左右一対の開閉翼片を対設し、その開閉翼片を外側方向へ開閉させることにより打球を受け入れない状態と打球を受け入れ易い状態とに変換するようにしたもの等が知られている。
【０００３】
【発明が解決しようとする課題】
従来のパチンコ機の入賞装置にあっては、その入賞態様がほとんど同じで規格化されており、かつ変化に乏しく面白さに欠けるため、遊技者に飽きられつつあるという問題点があった。
【０００４】
本発明は、上記した問題点に鑑みてなされたもので、その目的とするところは、回転体の回転方向によって打球を入賞させない状態と多くの打球を連続して入賞させることができる状態とに変換し得る新規なパチンコ機の入賞装置を提供しようとするものである。
【０００５】
【課題を解決するための手段】
上記目的を達成するために、請求項1記載の発明は、取付基板の前面にモータにより正逆回転する回転体と、前記回転体の側部を囲うと共に打球の入賞領域を形成するガイド枠と、前記入賞領域に流入する打球を前記回転体に誘導するガイド部材と、前記ガイド部材の下方に設けられる球受枠と、前記ガイド枠の下方位置する球導出口とを備え、前記モータにより回転体を正逆回転させて前記入賞領域に流入するすべての打球を前記球導出口又は球受枠のいずれかに導くことを特徴としている。
【０００６】
請求項２記載の発明は、遊技盤の前面に可変表示器及び該可変表示器の表示が予め設定された表示になると多量の入賞球を発生させる入賞装置とを備えたパチンコ機であって、前記入賞装置は、取付基板の前面にモータにより正逆回転する回転体と、前記回転体の側部を囲うと共に打球の入賞領域を形成するガイド枠と、前記入賞領域に流入する打球を回転体に誘導するガイド部材と、前記ガイド部材の下方に設けられる球受枠と、前記ガイド枠の下方位置する球導出口とを備え、通常時前記モータにより回転体を回転させて前記入賞領域に流入するすべての打球を球導出口から取付基板の前面下方に落下させ、前記可変表示器があらかじめ設定された表示になると、前記回転体を逆回転させて、前記入賞領域に流入するすべての打球を前記球受枠に導き入賞球となるようにしたことを特徴としている。
【０００７】
また、取付基板の前面にモータにより正逆回転する回転体を設置し、かつその回転体の側部を囲うように上部に球導入口を有するガイド枠を設けると共に、該ガイド枠の下方に球導出口と球受枠とを設け、前記回転体により、ガイド枠の球導入口に入って待機する打球を誘導して、球導出口または球受枠のいずれかに導くことを特徴としている。
【０００８】
さらに、取付基板の前面側に突出する球受枠の上方にガイド部材を設けると共に、該ガイド部材の側部に球導入口を設け、前記球導入口の下方には、打球を誘導する回転体を配置し、該回転体はモータにより正逆回転し、かつその正逆回転誘導により、球導入口に導かれた打球を球受枠または取付基板の前面外部に落下させることを特徴としている。
【０００９】
また、取付基板の前面側に突出する球受枠の上方にガイド部材を設けると共に、該ガイド部材の側部に球導入口を設け、前記球導入口の下方には、前記球受枠と取付基板の前面外部に打球を落下させる球導出口に振り分ける位置に球方向を誘導する回転体を配置し、誘導により球導入口に導かれた打球を球受枠または取付基板の前面外部に落下させることを特徴としている。
【００１０】
さらに、取付基板の前面側に突出する球受枠の上方にガイド部材を設けると共に、該ガイド部材の左右の側部に球導入口を設け、前記球導入口の下方には、打球を誘導する回転体を配置し、該回転体はモーターにより正逆回転し、かつその正逆回転誘導により、球導入口に導かれた打球を球受枠または取付基板の前面外部に落下させることを特徴としている。
【００１１】
そして、上記構成により、回転体が互いに外向きに回転しているとき、球導入口に導かれた打球は球受枠に入ることなくそのまま取付基板の前面外部に落下し、回転体が内向きに回転しているとき球導入口に導かれた打球は球受枠に落下してすべて入賞球となるもので、簡単な構造で斬新で変化に富んだパチンコ機の入賞装置を得ることが可能となる。
【００１２】
【発明の実施の形態】
以下、図面を参照して本発明の一実施例について説明する。図１は本発明に係る入賞装置を前面から見た斜視図、図２は同じく裏面から見た斜視図、図３は分解斜視図である。入賞装置１は、遊技盤の表面に取付ける取付基板１０を有する。取付基板１０は、横方向に長く形成され、その中央部の上部位置に箱状のガイド部材１１が前面側に突出して設けられる。また、ガイド部材１１の左右の側部には打球が１個通過できる程度の間隔を離して突設されたガイド枠１２，１２により球導入口１３ａ，１３ｂが形成され、その球導入口１３ａ，１３ｂに回転体１４ａ，１４ｂがそれぞれ配設されている。また、取付基板１０の中央部の下部位置であり、両回転体１４ａ，１４ｂの間に位置した取付基板１０の前面に上面開口の球受枠１５が形成されている。
【００１３】
前記ガイド部材１１の上面は、図５に示すように打球を左右の球導入口１３ａ，１３ｂに向けて流下案内するように山形状に形成されており、かつこれらガイド部材１１と両球導入口１３ａ，１３ｂとによって打球が入賞可能な広い入賞領域が形成される。なお、両球導入口１３ａ，１３ｂを画成するガイド枠１２，１２の下方部は、回転体１４ａ，１４ｂの周面一部を囲うように円弧状に形成されている。また、前記球受枠１５は、ガイド枠１２，１２の下方に打球が一個通過可能な球導出口４４，４４が形成されるようにガイド枠１２，１２と間隔を離して設けられている。
【００１４】
前記回転体１４ａ，１４ｂは、それぞれの中心に突軸１６ａ，１６ｂを有し、該突軸１６ａ，１６ｂによって取付基板１０に回転自在に支持されている。また、回転体１４ａ，１４ｂの周面には球１個分の凹部からなる複数（本実施例の場合３個）の球保持部１７がそれぞれ等間隔で形成されている。
【００１５】
１８は取付基板１０の中央裏側に位置して球受枠１５の後部に連着される箱枠であって、その傾斜状の内底面に球落口１９が設けられている。また、箱枠１８の後面には複数の間隔保持突起２０を介してモータ取付板２１が固着されている。
【００１６】
該モータ取付板２１には、正逆回転用のモータ２２が取付けられ、そのモータ軸２３は、モータ取付板２１と箱枠１８との間に貫通位置し、その先端に歯車２４が固着されている。そして、該歯車２４は図６に示すように一方の回転体１４ａの突軸１６ａに設けた歯車２５に噛合させると共に、他方の回転体１４ｂの突軸１６ｂに設けた歯車２６に中間歯車２７を介して噛合させている。これによって、歯車２４の回転で歯車２５，２６，２７が回転し、２個の回転体１４ａ，１４ｂが互いに反対方向に正逆回転されるようになっている。
【００１７】
なお、２８，２８は取付基板１０の両側に位置し、かつ前面側に突設された球受口であり、その開口上面に入賞球検出器２９，２９が設けられている。また球受口２８，２８とガイド枠１２，１２との間に位置した取付基板１０には球入口３０，３０と球出口３１，３１とがそれぞれ穿設されている。
【００１８】
一方、取付基板１０の裏面には球受口２８，２８に入った打球を後方へ導く樋状部３２，３２と、球入口３０，３０に入った打球を球出口３１，３１から取付基板１０の前面に導いて下方に落下させる通路枠３３，３３がそれぞれ形成されている。その他、３４は取付基板１０の前面に間隔保持突起３５を介して取付けられる透明カバー板、３６はガイド部材１１の内部に設けられたデジタル表示部、３７は球受枠１５に入った打球を検出する入賞球検出器、３８は取付基板１０のレンズ部分３９を後方から光らせるランプ、４０は球受枠１５の前面を光らせるランプである。
【００１９】
図９は以上説明した本実施例に係る入賞装置１が適用されるパチンコ機の正面図である。パチンコ機の遊技盤４１表面にはガイドレール４２で囲まれる遊技部が形成され、その遊技部のほぼ中央に可変表示器４３を設けると共に、その下方に本発明に係る入賞装置１を設けている。前記可変表示器４３は、この実施例の場合３桁のデジタル表示部を有する周知のものである。
【００２０】
次に、本実施例におけるパチンコ機の入賞装置１の作用について説明する。本実施例において、通常時２個の回転体１４ａ，１４ｂはモータ２２により図８（イ）の矢印方向（外向き方向）に一定速度で回転している。したがって、この状態のときガイド部材１１の上面に落下して球導入口１３ａまたは１３ｂに導かれる打球はそれぞれの球保持部１７に取り込まれてガイド枠１２，１２で案内されつつ下方へ運ばれ、該ガイド枠１２，１２の終端から取付基板１０の前面を通って球導出口４４，４４からすべて遊技盤４１上に落下させられるに止まる。
【００２１】
一方、この状態で打球が球受口２８，２８に入賞して入賞球検出器２９，２９で検出されると、その検出信号によって可変表示器４３のデジタルが変動し、一定時間（約５秒）が経過するとその変動を停止する。そして、その停止時の表示があらかじめ設定された表示（例えば「０，０，０」，「９，９，９」等のぞろ目）に揃うと「大当り」となり、２個の回転体１４ａ，１４ｂを図８（ロ）に示すように図８（イ）の矢印方向と反対方向（内向き方向）に回転させる。このため、球導入口１３ａまたは１３ｂに導かれる打球はそれぞれの球保持部１７に取り込まれて下方へ運ばれ、中央位置から球受枠１５に落下してすべて入賞球として箱枠１８へ流下案内される。
【００２２】
そして、回転体１４ａ，１４ｂは一定時間（例えば２９秒）経過するまでの間、または入賞球検出器３７で所定個数（例えば１０個）の入賞球が検出されるまで内向き方向に回転を続け、その後外向き方向に回転する動作を数回（例えば１６回）繰り返えし行うように制御される。これによって、短時間で多くの入賞球が発生し、遊技者は多大な利益を得ることができる。
【００２３】
【発明の効果】
以上のように、本発明に係る入賞装置によれば、回転体の回転方向によって打球を全く入賞させない状態と短時間で多くの入賞球を入賞させることができる状態とに変換するようにしたので、例えば、開閉扉を前後方向に開閉させる従来の入賞装置に較べてその入賞態様が非常に斬新で変化に富んだものとなり、遊技者の興味を引いてパチンコ遊技の面白さを高めることができる。
【図面の簡単な説明】
【図１】本発明の一実施例の入賞装置の斜視図である。
【図２】同裏面から見た斜視図である。
【図３】同分解斜視図である。
【図４】同平面図である。
【図５】同透明カバー板を外した状態の正面図である。
【図６】同モータ取付板を外した状態の裏面図である。
【図７】同中央縦断側面図である。
【図８】（イ），（ロ）は作用説明図である。
【図９】同実施例の入賞装置が適用されるパチンコ機の正面図である。
【符号の説明】
１                入賞装置
１０              取付基板
１１              ガイド部材
１２，１２        ガイド枠
１３ａ，１３ｂ    球導入口
１４ａ，１４ｂ    回転体
１５              球受枠
１７              球保持部
２２              モータ
３６              デジタル表示部
４４              球導出口
【図１】
0003574021.tif 000002
【図２】
0003574021.tif 000003
【図３】
0003574021.tif 000004
【図４】
0003574021.tif 000005
【図５】
0003574021.tif 000006
【図６】
0003574021.tif 000007
【図７】
0003574021.tif 000008
【図８】
0003574021.tif 000009
【図９】
0003574021.tif 000010